(57)【要約】【課題】釣竿に簡単に装着することができ、しかも集魚作用を発揮させるための構成をより簡単なものとして生産コストの低減を図ることができる魚釣り装置を提供する。【解決手段】装置本体１と、装置本体１を釣竿Ｂに取付ける取付部２と、装置本体１に取付けられ装置本体１及び上記取付部２を介して釣竿Ｂを加振する偏心マスつきモータ３とを有する。偏心マス付きモータ３の回転軸が回転することによってモータ３が振動し、この振動により釣竿Ｂを振動させる。さらに、この釣竿Ｂの振動により釣糸Ｃを間接的に振動させる。【選択図】　　　図１
2004016052.tif 000002
【特許請求の範囲】
【請求項１】
装置本体と、該装置本体を釣竿に取付ける取付部と、上記装置本体に取付けられ該装置本体及び上記取付部を介して釣竿を加振する加振手段とを有し、該加振手段による釣竿の振動により釣糸を振動させることを特徴とする魚釣り装置。
【請求項２】
請求項１記載の魚釣り装置において、上記加振手段は、偏心マスを回転させることにより釣竿を加振する偏心マスつきモータであることを特徴とする魚釣り装置。
【請求項３】
請求項１又は請求項２記載の魚釣り装置において、上記加振手段に電気的に接続され、釣竿の把持部に取付けられるスイッチ部を有することを特徴とする魚釣り装置。
【請求項４】
請求項１〜３のいずれかに記載の魚釣り装置において、上記装置本体は、箱状体として形成され、該装置本体内に上記加振手段が収納されていることを特徴とする魚釣り装置。
【発明の詳細な説明】
【０００１】
【発明の属する技術分野】
本発明は、魚釣りをする際に釣竿に取付けて使用する魚釣り装置に関するものである。
【０００２】
【従来の技術】
一般に、魚釣りは、釣竿の先端から釣糸をたらし、その先端の釣針に釣餌を取付けて水中に沈め、浮子の動き、あるいは釣糸および釣竿に伝わる感触により、魚が釣餌に食付いたことを感知し、釣竿もしくはリールを介して魚を釣り上げることによって行われている。
【０００３】
しかしながら、上記水中に沈められた釣餌を水中で停止ないし潮流により浮遊させているだけでは、魚が釣餌に気付きにくく、魚を釣り上げるまでに時間がかかり、また食付きに対して釣針を引っ掛けるいわゆる合わせのタイミングをとることが困難であった。
【０００４】
そこで、本願出願人は、釣糸と平行な枢軸によって揺動自在に枢支された揺動アームを駆動モータにより揺動させて直接的に釣糸を振動させる魚釣り装置を提案した（特開平１−２０６９３９号公報）。
【０００５】
すなわち、この魚釣り装置は、釣竿に取付けられる装置本体に、対向する一対の釣糸ガイド片が釣糸に沿って設けられ、このガイド片に形成された切欠き状の釣糸ガイド部に釣糸が挿通され、これらの釣糸ガイド部のほぼ中間で前記揺動アームの一端の釣糸係合部に釣糸が係合され、該アームの揺動に伴って釣糸を振動させるものである。
【０００６】
【発明が解決しようとする課題】
上記従来の魚釣り装置は、釣糸を振動させて魚に釣餌の存在を早期に知らせ、また釣餌の振動により疑似餌および死餌でも生き餌の様相を呈し、魚の食欲をそそるものであり、魚の食付きを向上させた等の点では有利であるものの、魚釣り装置を釣竿に装着する作業が面倒であった。特に、該装置に釣糸をセットするにあたって、釣糸ガイド部に釣糸を挿通させると共に、揺動アームの一端の釣糸係合部に釣糸を係合させなければならず、その作業に手間暇がかかるという問題があった。
【０００７】
また、上記魚釣り装置は、その構造が複雑になると共に、部品点数が多くなり、生産コストも高くなるという問題もあった。
【０００８】
本発明は、上記従来の問題点に鑑みてなされたものであり、釣竿に簡単に装着することができ、しかも集魚作用を発揮させるための構成をより簡単なものとして生産コストの低減を図ることができる魚釣り装置を提供することを目的とする。
【０００９】
【課題を解決するための手段】
上記目的を達成するため、請求項１記載の発明は、装置本体と、該装置本体を釣竿に取付ける取付部と、上記装置本体に取付けられ該装置本体及び上記取付部を介して釣竿を加振する加振手段とを有し、該加振手段による釣竿の振動により釣糸を振動させることを特徴とする魚釣り装置である。
【００１０】
上記構成によれば、加振手段が装置本体に取付けられ、該装置本体が取付部により釣竿に取付けられているので、加振手段により装置本体が振動し、さらにこの振動が取付部を介して釣竿に伝達され、この釣竿の振動により釣糸が間接的に振動される。このため、釣糸を直接的に振動させるため装置本体に釣糸を係合等させる必要がなく、取付部により装置本体を釣竿に取付けるだけでよいので、この装置を簡単に釣竿に装着することができる。しかも、加振手段を装置本体に取付けるだけで釣竿を加振することができるので、簡単な構成で集魚作用に優れた魚釣り装置を構成することができ、生産コストの低減を図ることができる。
【００１１】
請求項２記載の発明は、上記請求項１記載の魚釣り装置において、上記加振手段は、偏心マスを回転させることにより釣竿を加振する偏心マスつきモータであることを特徴とするものである。上記構成によれば、簡単な構成で優れた集魚作用を発揮することができ、より一層低コストで生産できる。
【００１２】
請求項３記載の発明は、請求項１又は請求項２記載の魚釣り装置において、上記加振手段に電気的に接続され、釣竿の把持部に取付けられるスイッチ部を有することを特徴とするものである。上記構成によれば、スイッチ部により加振手段をオン・オフ操作することができ、しかもその操作が手元でできるので、例えば魚が食付いた場合にスイッチ部により上記加振手段を停止させて魚を釣り上げる等、その使い勝手が向上する。
【００１３】
請求項４記載の発明は、請求項１〜３のいずれかに記載の魚釣り装置において、上記装置本体は、箱状体として形成され、該装置本体内に上記加振手段が収納されていることを特徴とするものである。上記構成によれば、加振手段が外部の衝撃等から保護され、その耐久性が向上する。
【００１４】
【発明の実施の形態】
以下、この発明に係る魚釣り装置を図面示した一実施形態に基づいて説明する。
【００１５】
図１は、本実施形態に係る魚釣り装置Ａの装置本体１を分解した状態で示す斜視図である。図２は、この魚釣り装置Ａの装置本体１を示す縦断面図である。また、図３は、この魚釣り装置Ａの装置本体１を示す横断面図である。
【００１６】
本実施形態の魚釣り装置Ａが装着される釣竿Ｂは、図５に示すように、基端部に把持部Ｂ１を有し、把持部Ｂ１の先端側にリールＢ２が取付けられると共に、長手方向に沿って所定間隔おきに釣糸ガイド部Ｂ３が複数個配設されたものである。なお、魚釣り装置Ａが装着される釣竿は、この釣竿Ｂに限定されるものではないことはいうまでもない。
【００１７】
図１ないし図３に示すように、この魚釣り装置Ａは、筒状に形成された装置本体１と、該装置本体１を釣竿Ｂに取付ける取付部２とを主要構成部材としてなり、上記装置本体１の内部には加振手段として偏心マスつきモータ３が組み込まれている。
【００１８】
装置本体１は、後方に開口された筒状の前ケース部材１１と、前方に開口された筒状の後ケース部材１２とからなり、この後ケース部材１２が前ケース部材１１に外嵌されて円筒状の箱体として形成されている。
【００１９】
前ケース部材１１は、硬質合成樹脂から製作され、先端部に周方向外方に突出するフランジ部１１ａを有し、該フランジ部１１ａ後端面に後ケース部材１２の前端面が当接されるものとなされている。
【００２０】
一方、後ケース部材１２は、前ケース部材１１と同様に硬質合成樹脂から製作され、その後部が後方に向かうにつれ順次縮径して形成されている一方、後ケース部材１２の軸心方向略中間部に下方に突出する支持脚部１２ａが形成されている。この支持脚部１２ａは、下面が釣竿Ｂの周面に沿うように形成されている。また、後ケース部材１２の後部には、コード導出孔１２ｂが設けられ、上記偏心マスつきモータ３に接続された給電コード４を装置本体１の外部に導出し得るものとなされている。
【００２１】
この装置本体１に組み込まれた偏心マスつきモータ３は、釣竿Ｂを加振して釣糸Ｃを間接的に振動させるものであり、図１及び図２に示すように、モータ本体３０と、その回転軸の先端に偏心して取付けられる、適当な重さの重量体（偏心マス）３１と、モータ本体３０を前ケース部材１１の内部に固定するための固定部材３２とから構成されている。
【００２２】
モータ本体３０は、その種類を特に限定するものではないが、例えば安価なＤＣモータが採用される。
【００２３】
重量体３２の大きさや偏心長さは、モータ本体３０の回転軸回転時に該重量体３１が前ケース部材１１の内周面と干渉しないように、固定部材３２によるモータ本体３０の固定位置等を考慮して適宜設定される。また、本実施形態では、重量体３２は円盤状に形成されているが、重量体３２の形状はこれに限定されるものではなく、例えば棒状体等であってもよい。
【００２４】
固定部材３２は、本実施形態では中央部にモータ本体嵌合孔３２ａが貫通形成されたリング状に形成され、外周面が前ケース部材１１の内周面に当接されるように形成されている。この固定部材３２は、そのモータ本体嵌合孔３２ａにモータ本体３０が強制嵌合されるものであり、必要に応じてモータ本体３０との接触面が接着等により強固に固定されるものである。
【００２５】
そして、図２に示すように、モータ本体３０が固定された固定部材３２を前ケース部材１１に嵌合させ、必要に応じて固定部材３２の外周面と前ケース部材１１の内周面とを接着して、固定部材３２を前ケース部材１１に対して位置決め状態に強固に固定する。この偏心マスつきモータ３が固定された前ケース部材１１に、モータ本体３０に接続された給電コード４を後ケース部材１２のコード導出孔１２ａから導出させた状態で、後ケース部材１２を外嵌して装置本体１を構成する。なお、前ケース部材１１と後ケース部材１２との嵌合にあたっては、浸水防止の観点から両ケース部材１１、１２間にパッキン等を配設することが好ましい。
【００２６】
一方、取付部２は、図３に示すように、断面略８の字形状を呈し、左右対称に形成された一対の半割体２０を上端ヒンジ部２１により連結したものである。これらの半割体２０の相対向する内面は、装置本体１の後ケース部材１２、支持脚体１２ａ及び釣竿Ｂの外周面に沿って形成されている。すなわち、これらの半割体２０に装置本体１及び釣竿Ｂを挟持させた状態で、両半割体２０の下端部において止めネジ２２とナット２３により連結し、これにより装置本体１が釣竿Ｂの所定個所に取り付けられる。この取付位置は、特に限定するものではないが、僅かな振動で釣竿を加振することができるという観点から、釣竿Ｂの先端寄りの可撓性を有する所定個所が好ましい。
【００２７】
上記装置本体１までの配線は、図４に示すように、コード導出孔１２ａから導出された給電コード４を釣竿Ｂに沿って配設し、釣竿ＢにおけるリールＢ２先端側に取付けられた電源部（電源電池等）５を経て、把持部Ｂ１の先端部に取付けられたスイッチ部６に接続する。そして、このスイッチ部６のオン・オフ操作により上記偏心マスつきモータ３を回転させることができる。このモータ３を回転させると、重量体３１が回転軸を中心として、振れまわり運動をする結果、モータ３は装置本体１及び取付部２を介して釣竿Ｂを加振するように作用する。
【００２８】
次に、上記のように構成した魚釣り装置Ａの釣竿Ｂへの取り付け方法について説明する。
【００２９】
この魚釣り装置Ａの釣竿Ｂへの取り付けは、前述したように、装置本体１を取付部２により釣竿Ｂの先端部所定個所に取付ける（図５参照）。すなわち、装置本体１の支持脚体１２ａの下面を釣竿Ｂの所定個所における周面に沿わせ、取付部２の左右両半割体２０により装置本体１及び釣竿Ｂの周面を略取り囲むように挟持させ、この状態で左右両半割体の下端部を止めネジ２２とナット２３により強固に固定する。この際、装置本体１が釣糸Ｃから離れて位置し、相互に干渉しないように取付ける。従って、釣竿Ｂに対する装置本体１の周方向の相対位置関係は図３に示すような上下関係にある必要はない。
【００３０】
そして、電源部５及びスイッチ部６をそれぞれ釣竿Ｂの所定個所に順次取付ける。スイッチ部６は、本実施形態では、把持部Ｂ１の先端部に設けられているが、取付け位置はこれに限定されるものではない。ただ、スイッチ部６を把持部Ｂ１に設けることにより、魚釣りの最中に該スイッチ部６により偏心マスつきモータ３のオン・オフを手元で操作することができ、その使い勝手が向上される。
【００３１】
この魚釣り装置Ａの操作は、スイッチ部６をオンにすると、偏心マスつきモータ３が駆動されてその回転軸を介して重量体３１が回転し、重量体３１の振れまわり運動によって該モータ３自身が振動する。この振動が装置本体１及び取付部２を介して釣竿Ｂに伝達され、釣竿Ｂ、特にその先端部が振動する。この結果、釣糸Ｃが間接的に振動され、その振動が釣糸先端の釣針Ｄ及び釣餌Ｅに伝達され、この振動波により魚に釣餌Ｅの存在を速やかに知らせ、集魚作用を発揮させることができる。また、釣餌Ｅが振動することによって釣餌が死餌、疑似餌等である場合には生餌の挙動を示し、生餌である場合でも振動により活発に活動し、魚の食欲をそそることとなる。しかも、釣針Ｄも振動することから魚の食付きに対して反力として作用し、いわゆる針掛りが良くなる。
【００３２】
すなわち、この実施形態に係る魚釣り装置Ａによれば、偏心マスつきモータ３が装置本体１に取付けられ、該装置本体１が取付部２により釣竿Ｂに取付けられているので、偏心マスつきモータ３の回転によりモータ３自身が振動し、この振動が装置本体１及び取付部２を介して釣竿Ｂに伝達され、この釣竿Ｂの振動により釣糸Ｃが間接的に振動される。このため、釣糸Ｃを直接的に振動させるために装置本体１に釣糸Ｃを係合等させる必要がなく、取付部２により装置本体１を釣竿Ｃに取付けるだけでよいので、この装置本体１を簡単に釣竿Ｂに装着することができる。しかも、釣糸Ｃの太さを変更等するためにリールＢ２の交換を行う場合でも、釣糸Ｃを装置本体１に係合させて改めて魚釣り装置Ａをセットする必要がなく、従来の魚釣り装置Ａと比較してその交換作業が簡便化される。
【００３３】
また、偏心マスつきモータ３を装置本体１に設けるだけで釣竿Ｂを加振させることができるので、簡単な構成で釣糸Ｃを振動させることができる。このため、上述のような大きな釣果が期待できる魚釣り装置Ａを低コストで製造することができる。
【００３４】
さらに、本実施形態の魚釣り装置Ａは、偏心マスつきモータ３が箱状の装置本体１内部に取付けられているので、上記モータ３は装置本体１により保護され、魚釣り装置Ａの耐久性が向上する。
【００３５】
なお、以上に本実施形態に係る魚釣り装置Ａについて説明したが、この発明に係る魚釣り装置は、上記実施形態に限定されるものではなく、その趣旨を逸脱しない範囲で種々の変更が可能である。例えば以下のような変更が可能である。
【００３６】
上記実施形態では、加振手段として偏心マスつきモータを採用したが、その他ソレノイド等を採用するものであってもよい。
【００３７】
上記実施形態では、電源部５及びスイッチ部６を装置本体１の外部に取付けたものを採用したが、電源部又は／及びスイッチ部を装置本体内部に設けるものであってもよい。
【００３８】
また、モータの装置本体に対する取付構造、及び装置本体の釣竿に対する取り付け構造も上記実施形態のものに限られず、その他の公知の取付構造を採用することができる。
【００３９】
【発明の効果】
以上に説明したように、本発明は、装置本体と、該装置本体を釣竿に取付ける取付部と、上記装置本体に取付けられ該装置本体及び上記取付部を介して釣竿を加振する加振手段とを有するため、偏心マスつきモータの回転によりモータ自身が振動し、この振動が装置本体及び取付部を介して釣竿に伝達され、この釣竿の振動により釣糸が間接的に振動される。しかも、該加振手段による釣竿の振動により釣糸を振動させるようにしたためこのため、釣糸を直接的に振動させるために装置本体に釣糸を係合させる必要がなく、取付部により装置本体を釣竿に取付けるだけでよいので、この装置を簡単に釣竿に装着することができる。また、簡単な構成で集魚作用に優れた魚釣り装置を構成することができ、生産コストの低減も図ることができる。
【図面の簡単な説明】
【図１】本発明の一実施形態に係る魚釣り装置の装置本体及び取付部を分解した状態で示す斜視図である。
【図２】同魚釣り装置の装置本体及び取付部を示す縦断面図である。
【図３】同魚釣り装置の装置本体及び取付部を示す横断面図である。
【図４】同魚釣り装置の配線状態を示す説明図である。
【図５】同魚釣り装置の使用状態を示す説明図である。
【符号の説明】
１　　　装置本体
２　　　取付部
３　　　偏心マスつきモータ
Ａ　　　魚釣り装置
Ｂ　　　釣竿
【図１】
2004016052.tif 000003
【図２】
2004016052.tif 000004
【図３】
2004016052.tif 000005
【図４】
2004016052.tif 000006
【図５】
2004016052.tif 000007